(57)【要約】【課題】  眼鏡フレームを装用した状態の被検者を好適に撮影及び測定する【解決手段】  眼鏡を装用した被検者の画像を解析し、被検者の眼鏡装用パラメータを測定するための眼鏡装用画像解析装置であって、眼鏡フレームタイプ情報を取得する取得手段と、眼鏡フレームタイプ情報に基づいた制御動作を行う制御手段と、を備え、制御手段は、眼鏡フレームタイプ情報に基づいて、眼鏡を装用した被検者の画像を解析処理するための解析処理方法を選択し、選択した解析処理方法に基づいて、画像を解析する制御を行い、眼鏡装用パラメータを取得する制御を行う。【選択図】      図１
2015179254.tif 000002
【特許請求の範囲】
【請求項１】
眼鏡を装用した被検者の画像を解析し、被検者の眼鏡装用パラメータを測定するための眼鏡装用画像解析装置であって、
眼鏡フレームタイプ情報を取得する取得手段と、
前記眼鏡フレームタイプ情報に基づいた制御動作を行う制御手段と、
を備えることを特徴とする眼鏡装用画像解析装置。
【請求項２】
請求項１の眼鏡装用画像解析装置において、
前記制御手段は、前記眼鏡フレームタイプ情報に基づいて、眼鏡装用パラメータを取得する制御を行うことを特徴とする眼鏡装用画像解析装置。
【請求項３】
請求項２の眼鏡装用画像解析装置において、
前記制御手段は、前記眼鏡フレームタイプ情報に基づいて、眼鏡を装用した被検者の画像を解析処理するための解析処理方法を選択し、選択した解析処理方法に基づいて、画像を解析する制御を行うことを特徴とする眼鏡装用画像解析装置。
【請求項４】
請求項１〜３の眼鏡装用画像解析装置において、
前記制御手段は、前記眼鏡フレームタイプ情報に基づいて、眼鏡装用パラメータを補正する制御を行うことを特徴とする眼鏡装用画像解析装置。
【請求項５】
請求項１〜４の眼鏡装用画像解析装置において、
前記制御手段は、前記眼鏡フレームタイプ情報である、そり角度及び前傾角度の少なくとも一方に基づいて、眼鏡装用パラメータを補正することを特徴とする眼鏡装用画像解析装置。
【請求項６】
請求項１〜５の何れかの眼鏡装用画像解析装置において、
さらに、前記眼鏡フレームタイプ情報とともに、前記眼鏡装用パラメータを外部の装置へ送信するため送信手段を備えることを特徴とする眼鏡装用画像解析装置。
【請求項７】
眼鏡を装用した被検者の画像を解析し、被検者の眼鏡装用パラメータを測定するための眼鏡装用画像解析装置であって、
第１眼鏡クレームタイプに対応する第１制御動作を行う制御手段であって、前記第１眼鏡フレームタイプと異なる眼鏡フレームタイプである第２眼鏡フレームタイプに対応する、前記第１制御動作とは異なる第２制御動作を行う制御手段を備えることを特徴とする眼鏡装用画像解析装置。
【請求項８】
眼鏡を装用した被検者の画像を解析し、被検者の眼鏡装用パラメータを測定するための眼鏡装用画像解析方法であって、
眼鏡フレームタイプ情報を取得する取得ステップと、
前記フレームタイプ情報に基づいた制御動作を行う制御ステップと、
を備えることを特徴とする眼鏡装用画像解析方法。
【請求項９】
眼鏡を装用した被検者の画像を解析し、被検者の眼鏡装用パラメータを測定するための眼鏡装用画像解析装置において実行される眼鏡装用画像解析プログラムであって、
前記眼鏡装用画像解析装置のプロセッサによって実行されることで、
眼鏡フレームタイプ情報を取得する取得ステップと、
前記フレームタイプ情報に基づいた制御動作を行う制御ステップと、
を前記眼鏡装用画像解析装置に実行させることを特徴とする眼鏡装用画像解析プログラム。
【請求項１０】
眼鏡を装用した被検者の画像を解析し、被検者の眼鏡装用パラメータを測定するための眼鏡装用画像解析装置であって、
眼鏡フレームタイプ情報を取得する取得手段と、
前記眼鏡フレームタイプ情報に基づいて、前記眼鏡フレームタイプがフルリムである場合に第１解析処理方法を選択し、前記眼鏡フレームタイプがフルリムでない場合に、前記第１解析処理方法とは異なる第２解析処理方法を選択する選択手段と、
前記選択手段によって、選択された解析処理方法に基づいて、画像の解析処理を行う制御手段と、
を備えることを特徴とする眼鏡装用画像解析装置。
【発明の詳細な説明】
【技術分野】
【０００１】
本発明は、眼鏡を製作するために必要な眼鏡装用パラメータを測定するために、撮影画像の解析を行う眼鏡装用画像解析装置、眼鏡装用画像解析方法、及び眼鏡装用画像解析プログラムに関する。
【背景技術】
【０００２】
眼鏡フレームを装用した状態の被検者の顔を撮像装置によって撮影し、その画像から眼鏡を製作するために必要な眼鏡装用パラメータを算出する眼鏡装用画像解析装置が提案されている（特許文献１参照）。
【０００３】
従来の装置では、アタッチメントやシール等が眼鏡フレームに取り付けられ、撮影された撮影画像では、それらを目印として眼鏡フレームの位置を検出し、眼鏡装用パラメータを測定していた（特許文献２参照）。また、アタッチメントやシール等を眼鏡フレームに取り付けること無く、撮影を行った場合、撮影画像より眼鏡フレームのエッジを検出することによって、眼鏡フレームを検出していた。
【先行技術文献】
【特許文献】
【０００４】
【特許文献１】特開２００７−２１６０４９号公報
【特許文献２】特表２０１０−５０３８８５号公報
【発明の概要】
【発明が解決しようとする課題】
【０００５】
例えば、眼鏡を装用した状態で眼鏡装用パラメータを取得する場合、撮影する際における眼鏡フレームタイプによって、眼鏡フレームを装用した状態の被検者をうまく撮影できない場合は、眼鏡フレームを精度よく検出できない場合等があった。これによって、好適に撮影及び測定を完了することができないことがあった。
【０００６】
本開示は、上記問題点を鑑み、眼鏡フレームを装用した状態の被検者を好適に撮影及び測定することのできる眼鏡装用画像解析装置、眼鏡装用画像解析方法、及び眼鏡装用画像解析プログラムを提供することに関する。
【課題を解決するための手段】
【０００７】
上記課題を解決するために、本開示は以下のような構成を備えることを特徴とする。
【０００８】
（１）  本開示の第１態様に係る眼鏡装用画像解析装置は、眼鏡を装用した被検者の画像を解析し、被検者の眼鏡装用パラメータを測定するための眼鏡装用画像解析装置であって、眼鏡フレームタイプ情報を取得する取得手段と、前記眼鏡フレームタイプ情報に基づいた制御動作を行う制御手段と、を備えることを特徴とする。
（２）  本開示の第２態様に係る眼鏡装用画像解析装置は、眼鏡を装用した被検者の画像を解析し、被検者の眼鏡装用パラメータを測定するための眼鏡装用画像解析装置であって、第１眼鏡クレームタイプに対応する第１制御動作を行う制御手段であって、前記第１眼鏡フレームタイプと異なる眼鏡フレームタイプである第２眼鏡フレームタイプに対応する、前記第１制御動作とは異なる第２制御動作を行う制御手段を備えることを特徴とする。
（３）  本開示の第３態様に係る眼鏡装用画像解析方法は、眼鏡を装用した被検者の画像を解析し、被検者の眼鏡装用パラメータを測定するための眼鏡装用画像解析方法であって、眼鏡フレームタイプ情報を取得する取得ステップと、前記フレームタイプ情報に基づいた制御動作を行う制御ステップと、を備えることを特徴とする。
（４）  本開示の第４態様に係る眼鏡装用画像解析プログラムは、眼鏡を装用した被検者の画像を解析し、被検者の眼鏡装用パラメータを測定するための眼鏡装用画像解析装置において実行される眼鏡装用画像解析プログラムであって、前記眼鏡装用画像解析装置のプロセッサによって実行されることで、眼鏡フレームタイプ情報を取得する取得ステップと、前記フレームタイプ情報に基づいた制御動作を行う制御ステップと、を前記眼鏡装用画像解析装置に実行させることを特徴とする。
【発明の効果】
【０００９】
本開示によれば、眼鏡フレームを装用した状態の被検者を好適に撮影及び測定することができる。
【図面の簡単な説明】
【００１０】
【図１】本実施例に係る眼鏡装用画像解析装置の外観の概略構成図である。
【図２】本実施例に係る眼鏡装用画像解析装置に収納される光学系の概略構成図である。
【図３】側方撮影光学系の概略構成図を示している。
【図４】本実施例の制御系を示すブロック図である。
【図５】本実施例における制御動作の流れについて説明するフローチャートである。
【図６】表示部における表示画面の一例について示す図である。
【図７】眼鏡フレームタイプに基づく、画像解析処理について説明するフローチャートである。
【図８】撮影画像の解析終了後において表示部上に表示される画面の一例を示す図である。
【発明を実施するための形態】
【００１１】
以下、本実施形態を図面に基づいて説明する。図１〜図８は本実施形態に係る眼鏡装用画像解析装置の構成について説明する図である。なお、以下の説明において、被検者の左右方向をＸ軸方向、被検者の上下方向をＹ軸方向、被検者の前後方向をＺ軸方向として説明する。
【００１２】
＜概要＞
本発明の実施形態に係る眼鏡装用画像解析装置１の概要について説明する。本実施形態に関わる眼鏡装用画像解析装置１は、照明光学系１１０、測定光学系（例えば、遠用測定光学系２００、近用測定光学系３００等）、光路切換ユニット４００と、制御部７０と、を主に備える。
【００１３】
例えば、眼鏡装用画像解析装置１は、眼鏡を装用した被検者の画像を解析し、被検者の眼鏡装用パラメータを測定するために用いられる。
【００１４】
例えば、測定光学系は、被検者の画像を撮影するために用いられる。
【００１５】
例えば、眼鏡装用画像解析装置１は、取得手段と、制御手段と、を備える。例えば、本実施形態において、取得手段と、制御手段と、は兼用される。もちろん、別途、取得手段と、制御手段と、がそれぞれ設けられる構成としてもよい。なお、本実施形態においては、制御部７０が、取得手段と、制御手段と、として用いられる。
【００１６】
例えば、取得手段は、眼鏡フレームタイプ情報を取得する。例えば、眼鏡フレームタイプとしては、眼鏡フレームの形状、眼鏡フレームの材料、眼鏡フレームの色、眼鏡フレームのデザイン、眼鏡フレームの構成情報等が設定される構成が挙げられる。例えば、眼鏡フレームの形状としては、フルリム（Full lim）、ツーポイント（Two point）、ナイロール（Nylor）等の形状が挙げられる。また、例えば、眼鏡フレームの構成情報としては、眼鏡フレームの玉型形状、眼鏡フレームのそり角度、眼鏡フレームの前傾角度等が挙げられる。
【００１７】
例えば、眼鏡フレームタイプ情報を取得する構成としては、眼鏡装用画像解析装置１において検者の操作によって、入力される構成が挙げられる。例えば、検者による入力としては、眼鏡フレームタイプの情報を直接入力する構成や、眼鏡装用画像解析装置１のメモリ７２に記憶されている眼鏡フレームタイプより選択する構成が挙げられる。また、例えば、眼鏡フレームタイプ情報を取得する構成としては、被検者の眼鏡装用パラメータを取得する前に、眼鏡装用画像解析装置１において、眼鏡フレームを検出し、検出結果（例えば、眼鏡フレームの厚み等）に基づいて、眼鏡フレームタイプを設定する構成が挙げられる。また、例えば、眼鏡フレームタイプ情報を取得する構成としては、別途異なる装置で入力された画像を受信する構成が挙げられる。
【００１８】
例えば、制御手段は、眼鏡フレームタイプ情報に基づいた制御動作を行う。このような構成とすることによって、眼鏡フレームタイプに対応した制御動作を行うことができ、眼鏡フレームを装用した状態の被検者を好適に撮影及び測定することができる。
【００１９】
例えば、眼鏡フレームタイプ情報に基づいた制御動作としては、眼鏡フレームタイプ情報が装置の各部材を制御する際に用いられる構成が挙げられる。例えば、眼鏡フレームタイプ情報が装置の各部材を制御する際に用いられる構成としては、各光学系の光源の光量調整、各光学系の撮像素子のゲイン調整、各光学系の位置の調整、被検者を撮影する撮影方向の切り換え等が挙げられる。
【００２０】
また、例えば、眼鏡フレームタイプ情報に基づいた制御動作としては、眼鏡装用パラメータを取得する際に、眼鏡フレームタイプ情報が用いられる構成が挙げられる。この場合、制御手段は、眼鏡フレームタイプ情報に基づいて、眼鏡装用パラメータを取得する制御を行う。眼鏡フレームタイプに基づいて、眼鏡装用パラメータを取得することができるため、眼鏡フレームタイプに対応した眼鏡装用パラメータを取得することができる。
【００２１】
例えば、眼鏡装用パラメータとは、瞳孔情報（例えば、瞳孔位置、瞳孔径等）およびフレーム情報（例えば、フレームの幅、フレーム位置等）等が挙げられる。また、例えば、眼鏡装用パラメータとは、瞳孔情報およびフレーム情報から求められるような、瞳孔間距離、アイポジション高さ（フィッティングポイント高さ）等が挙げられる。また、例えば、側方画像からフレーム部位を抽出することによって、算出される眼鏡装用パラメータ（例えば、フレーム前傾角度、眼鏡装用距離等）もありうる。
【００２２】
例えば、眼鏡フレームタイプ情報に基づいて、眼鏡装用パラメータを取得する制御としては、眼鏡フレームタイプ情報に基づいて、眼鏡を装用した被検者の画像を解析処理するための解析処理方法を選択し、選択した解析処理方法に基づいて、画像を解析する制御を行う構成が挙げられる。例えば、眼鏡フレームタイプ情報に基づく、異なる解析処理方法としては、各部位（例えば、眼鏡フレーム、被検者の瞳孔等）のエッジ検出の際の閾値が異なる解析処理方法が挙げられる。また、例えば、第１解析処理方法と第２解析処理方法で、各部位を検出する際の演算処理方法が異なる解析方法を用いる構成としてもよい。また、例えば、第１解析処理方法は、眼鏡フレームの検出が容易であるため、処理速度の速い解析処理方法を用いて、第２解析処理方法は、眼鏡フレームの検出が困難であるため、処理速度よりも検出精度の高い解析処理方法を用いるようにする構成であってもよい。このように、各部位を検出する上で、重視する点（例えば、検出速度、検出精度等）に応じた解析処理方法が、眼鏡フレームタイプに応じて選択されるようにすることによって、好適に眼鏡装用パラメータを取得することができる。
【００２３】
また、例えば、眼鏡フレームタイプ情報に基づいて、眼鏡装用パラメータを取得する制御としては、眼鏡フレームタイプ情報に基づいて、眼鏡装用パラメータを補正する制御を行う構成が挙げられる。このような構成とすることによって、眼鏡フレームタイプに対応した眼鏡装用パラメータを取得できるため、眼鏡レンズ加工装置等に取得したデータを送信した際に、眼鏡フレームタイプを考慮したレイアウトデータ等を取得することが可能となる。すなわち、検者は、外部装置において、各種の眼鏡装用パラメータや眼鏡フレームタイプ等の情報を設定する必要がなくなり、レンズ加工装置等での作業がスムーズになる。また、検者は、眼鏡フレームタイプに対応した好適なレンズ加工等を行うことができる。
【００２４】
なお、上記記載の眼鏡フレームタイプに基づいて、眼鏡装用パラメータを取得する構成としては、複数の処理を組み合わせて実施する構成としてもよい。眼鏡装用パラメータに基づいて選択された解析処理方法を用いて画像処理を行うに加えて、画像解析処理によって取得した眼鏡装用パラメータを眼鏡装用パラメータに基づいて補正する構成としてもよい。
【００２５】
なお、本実施形態において、さらに、眼鏡フレームタイプ情報とともに、眼鏡装用パラメータを外部の装置へ送信するため送信手段を設ける構成としてもよい。例えば、本実施形態において、取得手段と、制御手段と、送信手段は兼用される。もちろん、別途、取得手段と、制御手段と、送信手段と、がそれぞれ設けられる構成としてもよい。なお、本実施形態においては、制御部７０が、送信手段として用いられる。例えば、外部装置としては、レンズ加工装置、トレーサー、ブロッカー等が挙げられる。このように、取得した眼鏡装用パラメータとともに、眼鏡フレームタイプ情報を外部装置に送信できることで、検者は、外部装置において、各種の眼鏡装用パラメータや眼鏡フレームタイプ等の情報を設定する必要がなくなる。このため、例えば、次の操作への移行がスムーズになる。
【００２６】
なお、例えば、本実施形態において、眼鏡装用画像解析装置１は、第１眼鏡クレームタイプに対応する第１制御動作を行う制御手段であって、第１眼鏡フレームタイプと異なる眼鏡フレームタイプである第２眼鏡フレームタイプに対応する、第１制御動作とは異なる第２制御動作を行う制御手段を備える装置であってもよい。例えば、第１眼鏡フレームタイプ及び第２眼鏡フレームタイプとしては、上記記載のように、眼鏡フレームの形状、眼鏡フレームの材料、眼鏡フレームの色、眼鏡フレームのデザイン等が設定される構成が挙げられる。
【００２７】
例えば、第１制御動作及び第２制御動作としては、装置の各部材を制御する構成が挙げられる。この場合、例えば、装置の各部材を制御する構成としては、各光学系の光源の光量調整、各光学系の撮像素子のゲイン調整、各光学系の位置の調整等が挙げられる。
【００２８】
また、例えば、第１制御動作及び第２制御動作としては、眼鏡装用パラメータを取得する構成が挙げられる。例えば、眼鏡装用パラメータを取得する構成としては、眼鏡フレームタイプに対応する解析処理方法を選択し、選択した解析処理方法に基づいて、画像を解析する制御を行う構成が挙げられる。また、例えば、眼鏡装用パラメータを取得する制御としては、取得した眼鏡装用パラメータを眼鏡フレームタイプに対応する眼鏡装用パラメータに補正する制御を行う構成が挙げられる。
【００２９】
＜実施例＞
図１は、本実施例に係る眼鏡装用画像解析装置１の外観の概略構成図である。図２は、本実施例に係る眼鏡装用画像解析装置１に収納される光学系の概略構成図である。以下、図１及び図２を参照して、本実施例に係る眼鏡装用画像解析装置１の構成について説明する。図１に示されるように、眼鏡装用画像解析装置の装置本体３の内部には、後述する種々の測定光学系、駆動系、制御系等が備わる。装置本体３の被検者側には呈示窓６が備わる。呈示窓６は、被検者に固視標を呈示する際に、固視光束を通過させる窓である。同じく装置本体３の被検者側には顔支持ユニット５が備わる。顔支持ユニット５は、被検者の顔を支持するためのユニットである。装置本体３の検者側には操作ユニット（操作部）１０が備わる。
【００３０】
＜操作ユニット＞
操作ユニット１０は、入力された操作指示に応じた信号を後述する制御部７０に出力する。本実施例における操作ユニット１０は、タッチパネル式の表示部１５が用いられる。すなわち、本実施例においては、操作ユニットと表示部が兼用される。もちろん、操作ユニットと表示部が別に設けられた構成であってもよい。例えば、操作ユニット１０には、マウス、ジョイスティック、キーボード等の操作手段の少なくともいずれかを用いる構成が挙げられる。例えば、表示部１５は、眼鏡装用パラメータ測定装置１の本体に搭載されたディスプレイであってもよいし、本体に接続されたディスプレイであってもよい。もちろん、タッチパネル式でなくともよい。例えば、パーソナルコンピュータ（以下、「ＰＣ」という。）のディスプレイを用いてもよい。また、例えば、複数のディスプレイが併用されてもよい。表示部１５には、撮影された遠方視及び近方視状態の正面画像又は側方画像を含む各種画像が表示されてもよい。
【００３１】
＜顔支持ユニット＞
顔支持ユニット５は、被検者の額を支持する。そして、顔支持ユニット５は、後述する測定光学系（例えば、遠用測定光学系２００，近用測定光学系３００，反射ミラー４１０等）と被検者との距離を一定にする。また、顔支持ユニット５は、被検者の左右方向に回転可能であり、被検者の顔の向きを調整することができる。これによって、被検者の顔の向きが左右方向のいずれかにずれている場合、被検者の顔が正面を向くように、顔支持ユニット５を回転させることができる。
【００３２】
顔支持ユニット５は、当節部３１、作動距離調節部４０、左右回転調節部５０を主に備える。当接部３１は、被検者の顔に接触する部分である。作動距離調節部４０は、被検者と後述の測定光学系との距離を調節するために当接部３１の位置をＺ軸方向に調節する。例えば、本実施例において、検者によって作動距離調節部４０の調節ノブ４１が操作されることによって、当接部３１のＺ軸方向（作動距離方向）における位置が調節される。水平回旋調節部５０は、被検者の顔が正面を向くように、当接部３１の左右方向の角度を調節する。例えば、本実施例において、検者によって左右回転調整部５０の調節ノブ５１が操作されることによって、当接部３１の左右方向の位置が調節される。
【００３３】
なお、顔支持ユニット５は本実施形態の構成に限定されない。本実施例においては、被検者の額を支持するものとして説明したが、被検者のあごでもよいし、頬、鼻などでもよい。被検者の顔を支持する構成であればよい。また、本実施例において、顔支持ユニット５は、検者が調節ノブ４１，５１を操作することによって、当接部３１の位置が調節される構成としたがこれに限定されない。顔支持ユニット５は、モータ等の駆動部を有し、操作ユニット１０の操作等によって、電動で当接部３１の位置が調整される構成としてもよい。
【００３４】
＜光学系＞
次に、図２を参照して、本実施例に係る眼鏡装用画像解析装置１に収納される光学系について説明する。本実施例の眼鏡装用画像解析装置１は、照明光学系１１０、遠用測定光学系２００、近用測定光学系３００、光路切換ユニット４００と、側方撮影光学系５００、を主に備える。
【００３５】
本実施例において、眼鏡パラメータを測定するために眼鏡を装用した被検者の画像を撮影するための撮影手段を有する測定光学系として、少なくとも、遠用測定光学系２００、近用測定光学系３００のいずれかが用いられる。本実施例において、遠用測定光学系２００、近用測定光学系３００は、被検者の正面画像を撮影するために用いられる。また、側方撮影光学系５００は、被検者の側方画像を撮影するために用いられる。
【００３６】
＜照明光学系＞
照明光学系１１０は、４つの光源１１０Ｒ，１１０Ｌ，１１１Ｒ，１１１Ｌ（図２では、１１０Ｌ、１１１Ｌを省略）を主に備える。照明光学系１１０は、光源１１０Ｒ，１１０Ｌ，１１１Ｒ，１１１Ｌによって、四方向から被検者の顔を照明する。もちろん、照明光学系１００は上記の構成に限らない。光源の数はいくつでもよく、配置も任意でよい。照明光学系１１０は、光源によって被検者の顔を照明することができればよい。例えば、照明光学系１１０は、顔支持ユニット５の下部、呈示窓６の上部に設けられてもよい。
【００３７】
なお、本実施例の照明光学系１１０においては、赤外光源を用いる。赤外光源と、後述する赤外フィルタ等を用いることによって、外乱光（自然光など）の影響を抑えることができる。ただし、赤外光源でなくてもよく、可視光源を用いてもよい。
【００３８】
＜遠用測定光学系＞
図２に基づいて、遠用測定光学系（以下、第１測定光学系とも言う）２００について説明する。遠用測定光学系２００は、眼鏡フレームに対する遠方視状態における被検眼Ｅの眼位置を測定するための光学系である。遠用測定光学系２００は、第１の固視標投影光学系２００ａと第１の撮像光学系２００ｂに分けられる。なお、遠用測定光学系２００の測定光軸を光軸Ｌ１とする。
【００３９】
固視標投影光学系２００ａは、被検者を遠方視状態に固視させるための遠用固視標を被検眼Ｅに投影する。固視標投影光学系２００ａは、光源２２０、ハーフミラー２３０、凹面ミラー２４０を主に備える。光源２２０は、被検眼Ｅに投影される固視標として機能する。凹面ミラー２４０は、光源２２０から出射される固視標光束を略平行光束にして反射する。なお、本実施例においては、光源２２０から出射される固視標光束は、略平行光束にして反射する構成としたがこれに限定されない。光源２２０から出射される固視標光束は、所定の遠用呈示距離になるように反射する構成としてもよい。
【００４０】
光源２２０からの出射された固視標光束は、ハーフミラー２３０によって反射され、光軸Ｌ１と同軸とされる。ハーフミラー２３０によって反射された固視標光束は、凹面ミラー２４０によって反射される。凹面ミラー２４０に反射された固視標光束は、後述する反射ミラー４１０によって反射され、呈示窓６を通過して被検眼Ｅに入射する。凹面ミラー２４０は、固視標光束を略平行光束にするように反射する。このため、被検者から見た固視標は、被検眼Ｅから光源２２０までの実際の距離よりも遠方にあるように見える。その後、固視標光束は、後述の反射ミラー４１０によって反射され、呈示窓６を通過して被検眼Ｅに入射する。
【００４１】
撮像光学系２００ｂは、遠方視状態における被検者の顔を正面方向（被検者の顔の正面と対向した位置）から撮影する。本実施例において、撮像光学系２００ｂは、遠方視状態における被検者の顔を正面位置から撮影する。もちろん、撮像光学系２００ｂは、正面方向として、斜め下方向（斜め下の位置）から撮影する構成としてもよい。なお、被検者の顔とは、被検者の顔全体でなくてもよく、少なくとも被検眼Ｅの周辺領域（例えば、少なくとも左右眼一方の眼及び眼鏡フレームを含む被検者の顔の正面画像であってもよい）を指す。撮像光学系２００ｂは、撮像素子２１０、撮像レンズ２１２、絞り２１４、赤外フィルタ２１６、ハーフミラー２３０、凹面ミラー２４０を主に備える。
【００４２】
照明光学系１１０からの照明光は、被検者の顔によって反射されて、呈示窓６を通過する。呈示窓６を通過した照明光は、反射ミラー４１０によって反射される。反射ミラー４１０によって反射された反射光は、凹面ミラー２４０によって反射された後、ハーフミラー２３０を通り、赤外フィルタ２１６を通過する。赤外フィルタ２１６を通過した赤外光は、絞り２１４を通過し、撮像レンズ２１２によって収束された後、撮像素子２１０の上に像を結ぶ。撮像素子２１０は瞳と共役な位置関係にある。撮像素子２１０は、光を検出し、そのときの検出信号を制御部７０に出力する。
【００４３】
＜近用測定光学系＞
近用測定光学系（以下、第２測定光学系とも言う）３００は、近方視状態における被検眼Ｅの眼位置を測定するための光学系である。近用測定光学系３００は、第２の固視標投影光学系３００ａと第２の撮像光学系３００ｂに分けられる。
【００４４】
固視標投影光学系３００ａは、被検者を近方視状態に固視させるための近用固視標を斜め下方向から被検眼Ｅに投影する。固視標投影光学系３００ａは、光源３２０、ハーフミラー３３０、凸レンズ３４０を主に備える。光源３２０は、被検眼Ｅに投影される固視標として機能する。
【００４５】
光源３２０からの出射された固視標光束は、ハーフミラー３３０によって反射され、光軸Ｌ２と同軸とされる。ハーフミラー３３０によって反射された固視標光束は、凸レンズ３４０を通過し、収束される。その後、固視標光束は、後述の反射ミラー４１０によって反射され、呈示窓６を通過して被検眼Ｅに入射する。
【００４６】
撮像光学系３００ｂは、近方視状態における被検者の顔を正面方向（被検者の顔の正面と対向した位置）から撮影する。なお、本実施例において、撮像光学系３００ｂは、近方視状態における被検者の顔を斜め下方向（斜め下の位置）から撮影している。もちろん、撮像光学系３００ｂは、正面方向として、正面位置から撮影する構成としてもよい。撮像光学系３００ｂは、撮像素子３１０、撮像レンズ３１２、絞り３１４、赤外フィルタ３１６、ハーフミラー３３０、凸レンズ３４０を主に備える。
【００４７】
被検者の顔を照明する照明光学系１１０からの照明光は、呈示窓６を通過し、反射ミラー４１０によって反射される。反射ミラー４１０によって反射された反射光は凸レンズを通過し、収束される。収束されたこの光束は、ハーフミラー３３０を通り、赤外フィルタ３１６を通過する。赤外フィルタ３１６を通過した赤外光は、絞り３１４を通過し、撮像レンズ３１２によって収束された後、撮像素子３１０の上に像を結ぶ。撮像素子３１０は、瞳と共役な位置関係にある。撮像素子３１０は、光を検出し、そのときの検出信号を制御部７０に出力する。
【００４８】
＜光学系移動ユニット＞
近用測定光学系３００は、光学系移動ユニット３５０を備える。光学系移動ユニット３５０は、近用測定光学系３００を移動可能に保持する。光学系移動ユニット３５０は、近用測定のときに、後述する反射ミラー４１０の角度の変更にともなって、近用測定光学系３００の全体を移動させることができる。
【００４９】
ところで、後述する光路切換ユニット４００によって反射ミラー４１０の角度が変更されると、固視標投影光学系３００ａの光路（指標の呈示距離）、及び第２の撮像光学系３００ｂの光路が変化してしまう。そこで、本実施形態の光学系移動ユニット３５０は、反射ミラー４１０の角度の変更にともなって、近用測定光学系３００の全体を移動させる。これによって、反射ミラー４１０の角度が変更された場合であっても、近用視標の呈示距離が維持される。また、第２の撮像光学系３００ｂの被検眼Ｅに対するフォーカス状態が維持される。
【００５０】
また、光学系移動ユニット３５０は、呈示距離を調節するための凸レンズ３４０と、固視標を投影するための光源３２０を別々に移動させることが可能である。これによって、光学系移動ユニット３５０は、凸レンズ３４０と光源３２０の相対的な距離を変化させ、固視標の呈示距離を変更することができる。なお、光学系移動ユニット３５０は、例えば、モータや等の図示無き駆動部を用いて、駆動部を駆動させることによって、光学部材を移動させる。
【００５１】
＜光路切換ユニット＞
図２に戻って、光路切換ユニット４００について説明する。光路切換ユニットは、遠用測定用光学系２００と、近用測定用光学系３００の光路を切り換える。また、光路切り換えユニット４００は、近用測定時における被検者の視線方向を変化させる。
【００５２】
光路切換ユニット４００は、反射ミラー４１０、ミラー保持部４２０、駆動部４４０を主に備える。
【００５３】
反射ミラー４１０は、ミラー保持部４２０に保持される。ミラー保持部４２０の上部は、装置に固定された回転シャフト４２５に保持される。ミラー保持部４２０は、回転シャフト４２５の回転軸を中心に回旋可能とされる。このとき、ミラー保持部４２０は、反射ミラー４１０と一体的に回旋される。反射ミラー４１０は、遠用測定光学系２００または近用測定光学系３００から出射される視標光束を被検眼Ｅに向けて反射させる。駆動部４４０は、図示無きリンク機構部によって、ミラー保持部４２０の裏面と連結される。駆動部４４０が駆動されることによって、駆動部の駆動力が図示無きリンク機構部を介して、ミラー保持部４２０に伝達される。ミラー保持部４２０は、リンク機構部から伝達された駆動力によって回転シャフト４２５を中心に回旋される。ミラー保持部が回旋されることによって、回転シャフト４２５を中心に、反射ミラー４１０が回旋移動をする。
【００５４】
反射ミラー４１０が回旋されることによって、視標光束の光路が変更され、被検眼Ｅに投影される固視標の呈示位置が変更される。固視標の呈示位置が変更されることで、被検者の視線方向が変更される。例えば、反射ミラーをＡ方向に回転させる（実線部から点線部へ移動される）ことによって、被検者の撮影を行うための光路が、遠用測定用光学系２００の光路から近用測定用光学系３００の光路へと切り換えられる。このように、光路切換ユニット４００は、反射ミラー４１０を回旋させることで固視標の呈示位置を変化させ、被検者の視線方向を上下方向に変化させる。
【００５５】
＜側方撮影光学系＞
図３は、側方撮影光学系５００の概略構成図を示している。側方撮影光学系５００は、被検者を側方から撮影することによって被検者の側方画像を取得する。図３に示されるように、側方撮影光学系５００は、被検者の顔が支持される位置の左右方向に固定されている。
【００５６】
本実施例の側方撮影光学系５００は、被検者の左側に配置される左方撮影光学系５００Ｌと、被検者の右側に配置される右方撮影光学系５００Ｒに大別される。左方撮影光学系５００Ｌは被検者を左側方から撮影する。右方撮影光学系５００Ｒは、被検者を右側方から撮影する。
【００５７】
左方撮影光学系５００Ｌは、ハーフミラー５３０Ｌ、赤外フィルタ５４０Ｌ、絞り５５０Ｌ、撮像レンズ５６０Ｌ、撮像素子５７０Ｌ、を主に備える。
【００５８】
同様に、右方撮影光学系５００Ｒは、ハーフミラー５３０Ｒ、赤外フィルタ５４０Ｒ、絞り５５０Ｒ、撮像レンズ５６０Ｒ、撮像素子５７０Ｒ、を主に備える。なお、以下の説明においては、便宜上、赤外フィルタ５４０Ｌ，５４０Ｒ、絞り５５０Ｌ，５５０Ｒ、撮像レンズ５６０Ｌ，５６０Ｒ、撮像素子５７０Ｌ，５７０Ｒの各部材をまとめて、撮像部５７５Ｌ，５７５Ｒと記載する。
【００５９】
赤外フィルタ５４０Ｌ，５４０Ｒは可視光を吸収し、赤外光を通過させる。撮像素子５７０Ｌ，５７０Ｒには、赤外フィルタ５４０Ｌ，５４０Ｒを通過した赤外光が受光される。
【００６０】
以下、左方撮影光学系５００Ｌを例に挙げて側方画像の撮像について説明する。照明光学系１００からの照明光束は、被検者の顔と眼鏡フレームＦに反射される。反射された照明光束は、左方撮影光学系５００Ｌに入射する。その後、照明光束は、ハーフミラー５３０Ｌによって反射される。ハーフミラー５３０Ｌによって反射された反射光束は、赤外フィルタ５４０Ｌを通過する。赤外フィルタ５４０Ｌを通過した赤外光は、絞り５５０Ｌを通過した後、撮像レンズ５６０Ｌによって集光され、撮像素子５７０Ｌの撮像面上に像を結ぶ。撮像素子５７０Ｌは、検出した撮像画像を制御部７０に送信する。このようにして、撮像素子５７０Ｌには、被検者の左側の側方画像が撮像される。また、左方撮影光学系５００Ｌと同様にして、右方撮影光学系５００Ｒによって、被検者の右側の側方画像が撮像される。
【００６１】
＜制御部＞
図４は本実施例の制御系を示すブロック図である。制御部７０は、ＣＰＵ（プロセッサ）、ＲＡＭ、ＲＯＭ等を備える。制御部７０のＣＰＵは、眼鏡装用画像解析装置１の制御を司る。ＲＡＭは、各種情報を一時的に記憶する。制御部７０のＲＯＭには、眼鏡装用画像解析装置１の動作を制御するための各種プログラム、初期値等が記憶されている。
【００６２】
制御部７０には、不揮発性メモリ（以下、メモリに省略する）７２、操作ユニット１０、光源１１０Ｌ，１１０Ｒ，１１１Ｌ，１１１Ｒ，２２０，３２０、撮像素子２１０，３１０，５７０Ｌ，５７０Ｒ、光学系移動ユニット３５０の駆動部、駆動部４４０、等が電気的に接続されている。
【００６３】
メモリ７２は、電源の供給が遮断されても記憶内容を保持できる非一過性の記憶媒体である。例えば、ハードディスクドライブ、フラッシュＲＯＭ、および、眼鏡装用画像解析装置１に着脱可能に装着されるＵＳＢメモリ等をメモリ７２として使用することができる。メモリ７２には、眼鏡装用画像解析装置１による遠方視画像（遠方視状態における正面画像）又は近方視画像（近方視状態における正面画像）、側方画像の撮影を制御するための撮影制御プログラム、遠方視画像又は近方視画像、側方画像を処理する画像処理プログラムが記憶されている。また、メモリ７２には、撮影された遠方視画像又は近方視画像、側方画像の撮影位置の情報等、撮影に関する各種情報が記憶される。操作ユニット１０には、検者による各種操作指示が入力される。
【００６４】
＜制御動作＞
以下、本実施例における制御動作について、図５を参照して、説明する。図５は、本実施例における制御動作の流れについて説明するフローチャートである。なお、本実施例においては、遠方視状態の被検者の画像を例に挙げて制御動作について説明する。もちろん、本発明は、近方視状態の被検者についても同様の制御が行われてもよい。
【００６５】
＜画像表示（Ｓ１）＞
検者は操作ユニット１０を操作し、遠用撮影モードに設定する。遠用撮影モードでは、遠方視状態の被検者の画像を撮影するために、各種光学系の制御が制御部７０によって行われる。
【００６６】
遠用撮影モードに設定された場合、制御部７０は、駆動部４４０の駆動を制御することによって、光学切換ユニット４００の反射ミラー４１０の角度θを、遠用撮影モードに対応する角度（例えば、水平面（ＸＺ平面）方向に対して４０°等）に設定する。遠用撮影モードに対応する角度に傾斜された反射ミラー４１０によって、光源２２０からの固視標光束は、被検眼Ｅに対して水平に投光される。
【００６７】
＜アライメント調整（Ｓ２）＞
検者は、被検者を顔支持ユニット５に位置させる。検者は、眼鏡装用画像解析装置１に対して被検者の顔が所定位置に配置されるように顔支持ユニット５の調整を行う。すなわち、検者は、アライメント調整を行う（Ｓ２）。
【００６８】
図６は、表示部１５における表示画面の一例について示す図である。例えば、本実施例においては、被検眼Ｅの角膜頂点を表示部１５上の所定位置に表示させるように、被検者と眼鏡装用画像解析装置１の距離が調節される。なお、本実施例においては、側方撮影光学系５００によって撮影された画像の中心を示すための基準線Ｖ，Ｈが表示部１５の側方画面上に表示される。本実施形態では、基準線Ｖ，Ｈの交点と角膜頂点とが合致されたとき、アライメント位置が適正となるように設定されている。検者は、表示部１５に表示された被検者の顔（被検顔）の画像を確認し、アライメントを行う。
【００６９】
＜眼鏡フレームタイプ設定（Ｓ３）＞
ここで、検者は、眼鏡フレームタイプの設定を行う（Ｓ３）。例えば、制御部７０は、設定された眼鏡フレームタイプに基づいて、眼鏡装用パラメータを取得する制御を行う（詳細は後述する）。
【００７０】
以下、眼鏡パラメータの設定について説明する。例えば、制御部７０は、表示部１５上において、被検者の顔画像を表示するとともに、眼鏡フレームタイプを設定するための眼鏡フレーム設定スイッチ８５を表示する。検者は、操作ユニット１０を操作し、眼鏡フレーム設定スイッチ８５を選択する（図６参照）。
【００７１】
操作ユニット１０の操作によって、眼鏡フレームタイプ設定スイッチが選択されると、制御部７０は、眼鏡フレームタイプ（眼鏡フレームの種類）を入力可能にする。例えば、制御部７０は、表示部１５上に、少なくとも２つ以上の眼鏡フレームタイプを並べて表示する。
【００７２】
例えば、眼鏡フレームタイプとしては、眼鏡フレームの形状、眼鏡フレームの材料（例えば、メタル（Metal）、プラスチック（Plastic）、オプチル(Optyl)等）、眼鏡フレームの色（例えば、赤、青、黄、黒、グレー等）、眼鏡フレームのデザイン（例えば、ドット、ボーダー等）、眼鏡フレームの構成情報（例えば、眼鏡フレームの玉型形状、眼鏡フレームのそり角度、眼鏡フレームの前傾角度等）等が設定される構成が挙げられる。例えば、眼鏡フレームの形状としては、フルリム（Full lim）、ツーポイント（Two point）、ナイロール（Nylor）等の形状が挙げられる。例えば、フルリムとしては、全体にリム（縁）があるタイプの眼鏡フレームが挙げられる。また、例えば、ツーポイントとしては、テンプルやブリッジが眼鏡レンズに直接ついているような、リムのない眼鏡フレームが挙げられる。また、例えば、ナイロールとしては、一部分のリムがないタイプの眼鏡フレームが挙げられる。この場合、リムのない部分は、ナイロン糸などで眼鏡レンズが固定される。
【００７３】
なお、眼鏡フレームタイプとしては、眼鏡フレームの形状、眼鏡フレームの材料、眼鏡フレームの色、眼鏡フレームのデザイン等の少なくとも１つが設定される構成であればよい。例えば、眼鏡フレームタイプが各項目別に設定されるようにしてもよい。この場合、眼鏡フレーム形状としてはナイロール、眼鏡フレーム材料としてはメタル、眼鏡フレームの色としてはグレー（灰色）等の設定がされるようにしてもよい。
【００７４】
また、所定の眼鏡フレームタイプが選択された際には、選択された眼鏡フレームタイプの他に、その他の項目の眼鏡フレームタイプが設定される構成としてもよい。例えば、メタル、プラスチック、オプチルのいずれかの眼鏡フレームの材料が選択された場合には、眼鏡フレームの形状は、フルリムとして設定されるようにしてもよい。この場合、予め、眼鏡フレームタイプ間の対応づけをしておくとよい。
【００７５】
なお、眼鏡フレームタイプとしては、これらのタイプに限定されず、様々なタイプの眼鏡フレームを設定することができる。もちろん、眼鏡フレームタイプは、検者によって、任意に追加又は削除することが可能な構成としてもよい。
【００７６】
本実施例において、眼鏡フレームタイプとして、フルリム、ツーポイント、ナイロールのいずれかが眼鏡フレームタイプとして設定される場合を例に挙げて説明する。なお、本実施例においては、眼鏡フレームタイプの設定スイッチ８５が操作された際に、制御部７０は、眼鏡フレームタイプとして、メタル、プラスチック、オプチル、ツーポイント、ナイロールの眼鏡フレームタイプの表示をする。本実施例において、メタル、プラスチック、オプチルの眼鏡フレームの材料は、眼鏡フレーム形状であるフルリムと対応づけされている。例えば、メタル、プラスチック、オプチルのいずれかの眼鏡フレームタイプが選択された場合、眼鏡フレーム形状としては、フルリムとして設定される。すなわち、メタル、プラスチック、オプチル、ツーポイント、ナイロールのいずれかの眼鏡フレームタイプが選択されることによって、フルリム、ツーポイント、ナイロールのいずれかが眼鏡フレームタイプとして設定される。
【００７７】
検者は、表示部１５に表示された、眼鏡フレームタイプの中から、被検者が装用している眼鏡フレームタイプを選択する。制御部７０は、検者によって、選択された眼鏡フレームタイプを、被検者が装用している眼鏡フレームタイプとして設定する。以上のようにして、眼鏡フレームタイプが設定される。
【００７８】
なお、本実施例においては、制御部７０は、眼鏡フレームタイプを設定するために、眼鏡フレームタイプを並べて表示し、その表示された眼鏡フレームタイプの中から選択する構成を例に挙げたがこれに限定されない。眼鏡フレームタイプが設定可能な構成であればよい。例えば、眼鏡フレームタイプは、検者によって操作部１０が操作され、入力される構成としてもよい。この場合、制御部７０は、検者によって入力された眼鏡フレームタイプ情報に基づいて、眼鏡フレームタイプを設定する。
【００７９】
＜画像取得（Ｓ４）＞
被検者の顔の位置調整及び眼鏡フレームタイプ設定が完了すると、検者は、表示部１５に表示された図示無き撮影ボタンをタッチする。撮影ボタンがタッチされると、制御部７０は、遠方視状態の被検者の画像（正面画像及び側方画像）を撮影する（Ｓ４）。以上のようにして、遠方視状態の画像が取得される。
【００８０】
＜画像解析処理（Ｓ５）及び眼鏡装用パラメータ取得（Ｓ６）＞
画像が取得されると、制御部７０は、取得した画像の解析処理を行う（Ｓ５）。本実施例において、制御部７０は、設定された眼鏡フレームタイプに基づいて、眼鏡装用パラメータを取得する制御を行う。例えば、本実施例において、制御部７０は、設定された眼鏡フレームタイプに基づいて、眼鏡を装用した被検者の画像を解析処理するための解析処理方法を選択し、選択した解析処理方法に基づいて、画像を解析する。
【００８１】
例えば、制御部７０は、画像解析において、眼鏡のフレーム情報や被検者の瞳孔情報等を検出する。そして、制御部７０は、検出結果に基づいて、眼鏡フレームに対する被検眼Ｅの眼鏡パラメータを算出する（詳細は後述する）。なお、本実施例においては、画像が取得されると、画像の解析が開始される構成としたがこれに限定されない。例えば、検者によって解析の開始が設定される構成としてもよい。例えば、検者は、操作ユニット１０を操作し、図示無き画像解析モードを選択する。検者によって画像解析モードが選択されると、制御部７０は、画像の解析を開始する。
【００８２】
例えば、眼鏡装用パラメータとしては、瞳孔情報（例えば、瞳孔位置、瞳孔径等）および眼鏡フレーム情報（例えば、フレームの幅、フレーム位置等）等が挙げられる。また、例えば、眼鏡装用パラメータとしては、瞳孔情報およびフレーム情報から求められるような、瞳孔間距離、アイポジション高さ（フィッティングポイント高さ）等が挙げられる。また、例えば、側方画像からフレーム部位を抽出することによって、算出される眼鏡装用パラメータ（例えば、フレーム前傾角度、眼鏡装用距離等）もありうる。
【００８３】
以下、本実施例における画像解析処理について、説明をする。なお、本実施例においては、遠方視状態の被検者の画像を例に挙げて、画像解析処理(Ｓ５)について説明する。もちろん、本発明は、近方視状態の被検者の画像解析についても適用可能である。
【００８４】
図７は、眼鏡フレームタイプに基づく、画像解析処理について説明するフローチャートである。例えば、制御部７０は、設定された眼鏡フレームタイプに基づいて、眼鏡を装用した被検者の画像を解析処理するための解析処理方法を選択する。なお、本実施例においては、眼鏡フレームタイプに基づいて、被検者の画像を解析処理することによって、眼鏡フレーム位置を検出する場合を例に挙げて説明する。もちろん、本実施例に開示の技術は、被検者の画像における他の部分（例えば、瞳孔位置、眉毛等）を検出する際においても、適用可能である。
【００８５】
本実施例において、例えば、制御部７０は、画像処理によって眼鏡フレームの位置の検出が容易であるか否かに基づいて、解析処理方法を選択する（Ｓ５１）。制御部７０は、選択した解析処理方法に基づいて、画像を解析処理する。
【００８６】
例えば、フルリムのように、全体にリムがあるタイプ（全周に渡ってリムがあるタイプ）の眼鏡フレームの場合、眼鏡フレームの厚みがあるため、眼鏡フレーム部分（眼鏡フレーム境界）がわかりやすい。このため、画像処理によって検出を行った場合に、眼鏡フレームの位置を検出することが容易である。また、例えば、ツーポイント又はナイロールのように、リムのない、又は、一部分のリムがないタイプの眼鏡フレームの場合、レンズの端部が眼鏡フレームの境界部分となる場合がある。このため、画像処理によって検出を行った場合に、眼鏡フレームの位置を検出することが困難となる。
【００８７】
このため、本実施例においては、例えば、眼鏡フレームタイプがフルリムであるか否かに基づいて、解析処理方法が選択される。例えば、制御部７０は、眼鏡フレームタイプがフルリムであった場合、第１解析処理方法を選択し、第１解析処理方法に基づいて、撮影画像の解析処理を行う（Ｓ５２）。また、例えば、制御部７０は、眼鏡フレームタイプがフルリムでない場合、第２解析処理方法を選択し、第２解析処理方法に基づいて、撮影画像の解析処理を行う（Ｓ５３）。
【００８８】
以下、解析処理方法について説明する。例えば、初めに、制御部７０は、被検者の画像をＸＹ方向に順にスキャンを行い、画像における輝度分布を取得する。制御部７０は、取得した輝度分布より眼鏡フレームのエッジを検出する。例えば、制御部７０は、取得した輝度分布において、隣り合う画素間での輝度変化量が所定の閾値を越えているか否かに基づいて、エッジを検出する。もちろん、各画素での輝度値が所定の閾値を越えているか否かに基づいて、エッジを検出する構成としてもよい。例えば、制御部７０は、輝度変化量が所定の閾値を越えている場合に、眼鏡フレームのエッジとして検出する。制御部７０は、検出したエッジを眼鏡フレーム位置として検出する（Ｓ５５）。
【００８９】
ここで、例えば、本実施例において、第１解析処理方法と第２解析処理方法とでは、眼鏡フレームのエッジを検出する際に、異なる閾値によって検出を行う。例えば、第１解析処理方法において用いられる閾値は、第２解析処理方法において用いられる閾値よりも高く設定される。すなわち、フルリムのように眼鏡フレームの位置を検出することが容易である眼鏡フレームの場合、閾値を高く設定した場合であっても、輝度値の変化（輝度変化量）が大きいため、検出が容易である。このため、制御部７０は、閾値を高く設定した場合であっても、眼鏡フレームのエッジを検出することができる。この場合、閾値が高いことによって、眼鏡フレーム部分の周辺でのノイズは検出されづらくなり、より好適に眼鏡フレームを検出することができる。
【００９０】
一方、第２解析処理方法において用いられる閾値は、第１解析処理方法において用いられる閾値よりも低く設定される。すなわち、ツーポイント又はナイロールのように、眼鏡フレームの位置を検出することが困難である眼鏡フレームの場合、輝度値の変化が小さくなる。このため、第１解析処理方法のように、眼鏡フレームのエッジを検出する際に高い閾値を用いる解析処理方法において、眼鏡フレームのエッジの検出が困難となる場合がある。本実施例においては、眼鏡フレームのエッジ検出時における閾値が低く設定された第２解析処理方法を用いることによって、制御部７０は、眼鏡フレームのエッジを好適に検出することができる。
【００９１】
以上のようにして、眼鏡フレームタイプに基づいた画像解析処理が行われ、眼鏡フレーム位置が好適に検出される。
【００９２】
なお、第１解析処理方法及び第２解析処理方法において、用いられる閾値は、眼鏡フレームが検出できるような値であればよい。例えば、閾値は、予め、種々の眼鏡フレームタイプの眼鏡フレームを装用させ、撮影した画像に対して、眼鏡フレーム部分による輝度値の変化が検出できるような閾値を算出することによって、設定される。例えば、本実施例において、第１解析処理方法の閾値の設定は、種々のフルリムの眼鏡フレームを被検者に装用させ、撮影した画像より、眼鏡フレーム部分による輝度値の変化が検出できるような閾値を算出することによって、設定される。また、例えば、本実施例において、第２解析処理方法の閾値の設定は、種々のツーポイント又は種々のナイロールの眼鏡フレームを被検者に装用させ、撮影した画像より、眼鏡フレーム部分による輝度値の変化が検出できるような閾値を算出することによって、設定される。なお、閾値は任意の値に適宜変更することができるようにしてもよい。
【００９３】
なお、本実施例においては、解析処理方法として、エッジ検出の際の閾値が異なる解析処理方法を選択して画像処理を実施する構成を例に挙げて説明したがこれに限定されない。例えば、眼鏡フレームタイプに基づいて、解析処理方法を選択して画像処理を行う構成であればよい。例えば、第１解析処理方法と第２解析処理方法で、演算処理方法が異なる解析方法を用いる構成としてもよい。また、例えば、第１解析処理方法は、眼鏡フレームの検出が容易であるため、処理速度の速い解析処理方法を用いて、第２解析処理方法は、眼鏡フレームの検出が困難であるため、処理速度よりも検出精度の高い解析処理方法を用いるようにする構成であってもよい。このように、眼鏡フレームタイプに応じて、解析処理方法を選択することによって、より好適に眼鏡装用パラメータを取得することができる。
【００９４】
図８は、撮影画像の解析終了後において表示部１５上に表示される画面の一例を示す図である。図７に示されるように、例えば、制御部７０は、正面画像６２０と、左側方画像６２１と、右側方画像６２２等の撮影画像を表示する。
【００９５】
正面画像６２０は、例えば、被検者の両眼、及び眼鏡フレームの正面画像が含まれる。もちろん、正面画像６２０としては、左右眼の一方の眼及び眼鏡フレームが含まれた状態の正面画像であってもよい。
【００９６】
左側方画像６２１は、側方撮像光学系５００Ｌによって撮像された被検者の顔の左側方画像（側面画像）である。逆にいえば、左側方画像６２１は、被検者と対面する検者にとって右手方向から被検者を見たときの画像である。左側方画像６２１には、被検者の左眼、及び眼鏡フレームの左側方画像が含まれる。
【００９７】
右側方画像６２２は、側方撮像光学系５００Ｒによって撮像された被検者の顔の右側方画像（側面画像）である。逆にいえば、右側方画像６２２は、被検者と対面する検者の左手方向から被検者を見たときの画像である。右側方画像６２２には、被検者の右眼、及び眼鏡フレームの右側方画像が含まれる。
【００９８】
例えば、制御部７０は、表示部１５に、画像解析結果として、画像解析において検出された検出結果に基づいて、撮影画像上に眼鏡フレーム位置に指標を重畳表示させる。また、制御部７０は、画像解析処理によって被検者の瞳孔位置を検出し、撮影画像上に被検者の瞳孔位置に指標を重畳表示させる。例えば、制御部７０は、眼鏡フレーム位置を示す指標（眼鏡フレーム位置指標）、被検者の瞳孔位置を示す指標（瞳孔位置指標）Ｐ等を表示させる。例えば、各指標は、表示部１５において、十字マーク、線表示等の種々の表示形態で表示される。なお、本実施例において、眼鏡フレーム位置として、眼鏡フレームの内の所定部位であるレンズ下端ＬＴを表示する場合を例に挙げている。もちろん、眼鏡フレーム位置としては、レンズ下端に限定されない。眼鏡フレーム位置としては、眼鏡フレームに関する部分であれば適用することができる。例えば、眼鏡フレーム位置としては、眼鏡フレーム全体の位置が挙げられる。また、例えば、眼鏡フレーム位置としては、眼鏡フレームの内の所定部位である、レンズの上端（眼鏡フレームの上端）、眼鏡フレームのブリッジ等の位置が挙げられる。
【００９９】
また、例えば、表示部１５には、検出結果に基づいて算出されたアイポジション高さを示す指標（アイポジション高さ指標）ＢＴ、遠方視状態における瞳孔間距離を示す指標（瞳孔間距離指標）ＰＤ等が撮影画像の重畳表示される。例えば、瞳孔間距離ＰＤは、左右の瞳孔中心間の距離である。また、例えば、検出結果に基づいて算出されたアイポジション高さ、瞳孔間距離等は、指標で表示される他に、その測定値が表示部１５の表示画面上に表示される。例えば、表示部１５に表示された測定値表示欄８０には、アイポジション高さ、瞳孔間距離等の測定値が示されている。解析によって取得された眼鏡装用パラメータは、メモリ７２に記憶される。以上のようにして、眼鏡装用パラメータが取得される。
【０１００】
以上のように、眼鏡装用パラメータを取得する際に解析処理方法において、眼鏡フレームタイプに基づいて、眼鏡装用パラメータを取得することによって、好適に眼鏡装用パラメータを取得することができる。
【０１０１】
なお、検者は、図示無き送信スイッチを選択することによって、取得したデータ（例えば、眼鏡装用パラメータ、眼鏡フレームタイプ等）を外部装置へ送信することができる。例えば、制御部７０は、検者によって、送信スイッチが選択されると、取得した眼鏡装用パラメータとともに、眼鏡フレームタイプ（眼鏡フレームタイプ情報）を外部装置に送信する。もちろん、制御部７０は、眼鏡装用パラメータの取得が完了するとともに、取得したデータを外部装置へ送信するようにしてもよい。
【０１０２】
例えば、外部装置としては、レンズ加工装置、トレーサー、ブロッカー等が挙げられる。このように、外部装置に眼鏡装用パラメータとともに、眼鏡フレームタイプが送信されることによって、検者は、外部装置において、各種の眼鏡装用パラメータや眼鏡フレームタイプ等の情報を設定する必要がなくなる。このため、例えば、次の操作への移行がスムーズになる。なお、外部装置のメモリに記憶されている眼鏡フレームタイプと、眼鏡装用画像解析装置に記憶されている眼鏡フレームタイプと、で共通の眼鏡フレームタイプが記憶されていると、装置間での対応付けがしやすいため、より好ましい。
【０１０３】
なお、例えば、外部の装置に送信するための構成としては、眼鏡装用画像解析装置と接続する構成、無線等によって通信可能な構成、フラッシュＲＯＭ、ＵＳＢメモリ等を用いて外部装置に受信させる構成、等が挙げられる。この場合、例えば、フラッシュＲＯＭ、ＵＳＢメモリ等を用いる場合、検者は、外部の装置に、取得されたデータが記憶されたフラッシュＲＯＭ、ＵＳＢメモリ等を接続し、外部装置にデータを取得させ、外部装置のメモリに取得したデータを記憶させる。
【０１０４】
＜変容例＞
なお、本実施例においては、眼鏡装用パラメータを取得する際に、眼鏡フレームタイプ情報を用いることができる構成を例に挙げて説明をしたがこれに限定されない。眼鏡フレームタイプに基づいて、制御動作を行う構成であればよい。例えば、眼鏡フレームタイプ情報が装置の各部材を制御する際に用いられる構成や、眼鏡装用パラメータを取得する際に眼鏡フレームタイプ情報が用いられる構成等が挙げられる。このような構成とすることによって、眼鏡フレームタイプに対応した制御動作を行うことができ、眼鏡フレームを装用した状態の被検者を好適に撮影及び測定することができる（詳細は後述する）。
【０１０５】
例えば、眼鏡フレームタイプ情報を装置の各部材を制御する際に用いる場合、例えば、各光学系の光源の光量調整、各光学系の撮像素子のゲイン調整、各光学系の位置の調整等が挙げられる。例えば、眼鏡フレームタイプ情報に基づいて、各光学系の光源の光量調整を行う場合、制御部７０は、眼鏡フレームタイプがフルリムではない場合には、少なくともいずれかの光学系の光源の光量を増加させ、眼鏡フレーム部分が明確になるように調整するようにしてもよい。例えば、眼鏡フレームタイプ情報に基づいて、各光学系の撮像素子のゲイン調整を行う場合、制御部７０は、眼鏡フレームタイプがフルリムではない場合には、少なくともいずれかの光学系の撮像素子のゲインを増加させ、眼鏡フレーム部分による輝度変化を取得できるように調整してもよい。例えば、眼鏡フレームタイプ情報に基づいて、各光学系の位置の調整を行う場合、制御部７０は、被検者が装用した眼鏡フレームが好適に撮影できるように、反射ミラー４１０の角度の調整を行うようにしてもよい。このように、眼鏡フレームタイプ情報に基づいて眼鏡装用画像解析装置の各部材を制御することによって、好適に、各種画像の取得、眼鏡装用パラメータの算出等が可能となる。
【０１０６】
また、例えば、眼鏡フレームタイプ情報を眼鏡装用パラメータを取得する際に用いる場合としては、上記記載のように、眼鏡フレームタイプに基づいて、画像解析処理の解析処理方法を選択する構成が挙げられる。また、例えば、眼鏡フレームタイプに基づいて、眼鏡装用パラメータを補正するような構成が挙げられる。この場合、例えば、制御部７０は、眼鏡フレームタイプに基づいて、アイポジション高さ（例えば、レンズ下端から瞳孔位置までの距離）を補正する。例えば、フルリムの場合には、眼鏡レンズをリムにはめるためのヤゲン部分がレンズに形成されていることが必要となるため、レンズの下端は、ヤゲン部分の長さだけ長くすることが好ましい。このため、眼鏡フレームタイプがフルリムの場合には、ヤゲン部分を考慮して、アイポジション高さを補正するようにしてもよい。もちろん、眼鏡フレームタイプに基づいて補正を行う眼鏡装用パラメータとしては、これに限定されない。眼鏡フレームタイプに基づく眼鏡装用パラメータの補正は、眼鏡フレームタイプの情報に基づいて、位置や距離が変更されるようなものであれば、適用することができる。例えば、レンズ上端から瞳孔位置までの距離、レンズの左右端（例えば、眼鏡フレームとレンズとの左右側の境界位置）、瞳孔間距離ＰＤ等であってもよい。このように、眼鏡フレームタイプの情報に基づいて、眼鏡装用パラメータを取得することができる。このため、例えば、眼鏡レンズ加工装置等に取得したデータを送信した際に、眼鏡フレームタイプを考慮したレイアウトデータ等を取得することが可能となる。すなわち、検者は、外部装置において、各種の眼鏡装用パラメータや眼鏡フレームタイプ等の情報を設定する必要がなくなり、レンズ加工装置等での作業がスムーズになる。また、検者は、眼鏡フレームタイプに対応した好適なレンズ加工等を行うことができる。
【０１０７】
なお、本実施例においては、眼鏡フレームタイプを設定するタイミングとしては上記記載の構成に限定されない。例えば、眼鏡フレームタイプの設定は、画像表示（Ｓ１）、アライメント調整（Ｓ２）等の前であってもよい。また、例えば、画像取得取得（Ｓ４）、画像解析（Ｓ５）、眼鏡装用パラメータ取得（Ｓ６）の後であってもよい。この場合、例えば、制御部７０は、取得された眼鏡装用パラメータを、設定された眼鏡フレームタイプに基づいて、補正するような構成としてもよい。
【０１０８】
なお、本実施例においては、眼鏡装用画像解析装置によって取得した各種データを送信する構成を例に挙げて説明したがこれに限定されない。例えば、取得した各種データを印刷するようにしてもよい。
【０１０９】
なお、眼鏡装用パラメータの取得に用いられる正面画像及び側方画像は、１つの画像から、眼鏡フレーム及び被検者の眼が検出される構成に限定されない。複数の撮影画像から眼鏡フレームと被検者の眼が検出されて、眼鏡装用パラメータが取得される構成としてもよい。この場合、例えば、正面画像として、複数の正面画像（左眼正面画像、右眼正面画像等）が撮影され、左眼と右眼の眼鏡装用パラメータがそれぞれ取得される構成が挙げられる。また、例えば、眼鏡フレームを撮影した撮影画像と、被検者の眼を撮影した撮影画像と、の複数の撮影画像が取得され、眼鏡フレーム情報と、被検者の瞳孔情報と、をそれぞれ取得し、眼鏡装用パラメータを取得する構成が挙げられる。
【０１１０】
なお、本実施例において、眼鏡装用パラメータは、画像解析によって自動で検出される構成を例に挙げて説明したがこれに限定されない。例えば、眼鏡装用パラメータは、手動及び自動によって検出される構成としてもよい。手動及び自動で検出される場合、自動で撮影画像の画像解析が行われ、図７に示されるように撮影画像上に検出結果に基づいた指標が表示される。ここで、検者は、撮影画像に表示された指標を表示された位置から、操作ユニット１０を操作することによって指標を移動させ、指標が移動された位置での結果を眼鏡装用パラメータとして取得する。すなわち、指標の移動に連動して、測定値表示欄８０の測定値も変更される。
【０１１１】
なお、本実施例において、眼鏡装用パラメータを示す各指標が、撮影画像に重畳表示される場合を例に挙げて説明したがこれに限定されない。眼鏡装用パラメータを示す各指標は、表示部１５の表示画面上に表示される構成であればよい。
【０１１２】
なお、本実施例においては、反射ミラー４１０の角度を変更させることによって、固視標の呈示位置を変更する光学系を用いて撮影した画像に対して、画像解析処理を行う構成を例に挙げて説明したが、これに限定されない。本実施例の画像解析処理は、眼鏡を装用した被検者を撮影した画像に対して適用することができる。すなわち、画像を撮影するための光学系としては、本実施例の光学系に限定されず、種々の光学系を適用してもよい。
【０１１３】
なお、本実施例においては、左右側の側方画像を取得するために、側方撮影光学系５００として、被検者の左側に配置される左方撮影光学系５００Ｌと、被検者の右側に配置される右方撮影光学系５００Ｒをそれぞれ備える構成としたがこれに限定されない。１つの撮影光学系が兼用される構成としてもよい。例えば、左右側の側方画像を取得するために、１つの側方撮影光学系が用いられている構成であってもよい。この場合、例えば、反射ミラーの駆動等によって左右の側方を撮影する構成、側方撮影光学系が移動をすることによって左右の側方を撮影する構成、等が挙げられる。また、例えば、正面画像撮影用の測定光学系を用いて、左右側の側方画像が取得される構成としてもよい。この場合、例えば、正面画像撮影用の光学系が移動されることによって、左右側の側方画像が取得される構成が挙げられる。
【０１１４】
なお、本実施例においては、遠用測定光学系２００と近用測定光学系３００が別途設けられる構成としたがこれに限定されない。少なくとも一方の光学系を用いて、遠方視状態又は近方視状態の画像が撮影される構成としてもよい。この場合、例えば、遠方視状態又は近方視状態の画像の一方から取得された眼鏡装用パラメータに基づいて、他方の眼鏡装用パラメータを取得するようにしてもよい。
【０１１５】
なお、本実施例に開示の技術は、アタッチメントやシール等を眼鏡フレーム取り付け、眼鏡装用パラメータを取得する装置においても、適用することができる。例えば、アタッチメントやシール等が眼鏡フレーム取り付けられ、撮影された撮影画像において、それらの目印を検出する際に、本実施例に開示の技術を用いる。
【０１１６】
なお、本実施例の眼鏡装用画像解析装置１は、複数の撮像光学系を備え、被検者の画像を撮影するものとした。しかしながら、この構成に限らない。例えば、撮像光学系を備えていなくともよい。この場合、装置外部の撮像光学系によって撮影された被検者の画像データを種々のデータ通信手段によって受信する。そして、受信した画像を基に、被検者の眼鏡装用パラメータを測定してもよい。
【０１１７】
なお、本発明においては、本実施例に記載した装置に限定されない。例えば、上記実施例の機能を行う眼鏡装用画像解析ソフトウェア（プログラム）をネットワークや各種記憶媒体を介して、システムあるいは装置に供給する。そして、システムあるいは装置のコンピュータ（例えば、ＣＰＵ等）がプログラムを読み出し、実行することも可能である。
【符号の説明】
【０１１８】
１  眼鏡装用パラメータ測定装置
５  顔支持ユニット
１０  操作ユニット
１５  表示部
７０  制御部
７２  メモリ
２００  遠用測定光学系
３００  近用測定光学系
４００  光路切換ユニット
５００  側方撮影光学系
【図１】
2015179254.tif 000003
【図２】
2015179254.tif 000004
【図３】
2015179254.tif 000005
【図４】
2015179254.tif 000006
【図５】
2015179254.tif 000007
【図６】
2015179254.tif 000008
【図７】
2015179254.tif 000009
【図８】
2015179254.tif 000010